(57)【特許請求の範囲】
【請求項１】
垂直ブランキング期間中にも画像信号線駆動回路に対し、交流化のための制御信号を所定の周期で供給するように構成された液晶駆動装置であって、
垂直ブランキング期間において、最終の周期に対応してマスキング信号を生成するマスキング信号生成回路を設け、
制御信号出力有効期間判別回路がタイミングコントローラと前記画像信号線駆動回路の間に接続され、前記マスキング信号生成回路から前記マスキング信号を前記制御信号出力有効期間判定回路に供給するよう構成し、
前記制御信号出力有効期間判定回路は、前記マスキング信号が供給されると前記タイミングコントローラから出力される前記制御信号に対し、前記垂直ブランキング期間において、最終の期間に対応する前記制御信号を消去することを特徴とする液晶駆動装置。
【請求項２】
垂直ブランキング期間中にも画像信号線駆動回路に対し、交流化のための制御信号を所定の周期で供給するように構成された液晶駆動装置であって、
前記垂直ブランキング期間において、最終の周期に対応してマスキング信号を生成するマスキング信号生成回路を設け、
前記垂直ブランキング期間に対応した擬似データイネーブル信号を生成する擬似データイネーブル生成回路から出力される前記擬似データイネーブル信号と、タイミングコントローラに入力されたデータイネーブル信号との論理和をとるＯＲ回路を設け、
データイネーブル信号出力有効期間判別回路が前記ＯＲ回路と制御信号生成回路の間に接続され、前記マスキング信号生成回路から前記マスキング信号を前記データイネーブル信号出力有効期間判別回路に供給するよう構成し、
前記データイネーブル信号出力有効期間判別回路は、前記マスキング信号が入力されると前記ＯＲ回路からの論理和出力に対し、前記垂直ブランキング期間において、最終の期間に対応する前記論理和出力を消去することを特徴とする液晶駆動装置。
【請求項３】
前記マスキング信号生成回路は、垂直ブランキング期間中における水平同期信号数をカウントし、そのカウント値に基づいて、前記マスキング信号を生成することを特徴とする請求項１または２記載の液晶駆動装置。
【請求項４】
垂直ブランキング期間中にも画像信号線駆動回路に対し、交流化のための制御信号を所定の周期で供給するように構成された液晶駆動装置であって、
前記垂直ブランキング期間において、最終の周期に対応してマスキング信号を生成するマスキング信号生成回路を設け、
前記マスキング信号生成回路は、垂直ブランキング期間中における水平同期信号の数ｎをカウントするカウンタと、
該カウンタを前記垂直ブランキング期間の開始時点でリセットする回路と、
前記カウンタのカウント値ｎがリセットされる直前の最終カウント値ｋを保持するカウンタ値保持回路を有し、
ｎ≧ｋのときに、前記マスキング信号を生成し、
前記マスキング信号により、前記垂直ブランキング期間において、最終の期間に対応する前記制御信号を消去することを特徴とする液晶駆動装置。
【請求項５】
前記マスキング信号生成回路は、垂直ブランキング期間中における水平同期信号の数ｎをカウントするカウンタと、
該カウンタを前記垂直ブランキング期間の開始時点でリセットする回路と、
前記カウンタのカウント値ｎがリセットされる直前の最終カウント値ｋを保持するカウンタ値保持回路を有し、
ｎ≧ｋのときに、前記マスキング信号を生成し、
前記マスキング信号により、前記垂直ブランキング期間において、最終の期間に対応する前記制御信号を消去することを特徴とする請求項１記載の液晶駆動装置。
【請求項６】
前記マスキング信号生成回路は、垂直ブランキング期間中における水平同期信号の数ｎをカウントするカウンタと、
該カウンタを前記垂直ブランキング期間の開始時点でリセットする回路と、
前記カウンタのカウント値ｎがリセットされる直前の最終カウント値ｋを保持するカウンタ値保持回路を設け、
ｎ≧ｋのときに、前記マスキング信号を生成し、
前記マスキング信号により、前記ＯＲ回路からの論理和出力に対し前記垂直ブランキング期間において、最終の期間に対応する前記論理和出力を消去することを特徴とする請求項２記載の液晶駆動装置。
【発明の詳細な説明】
【０００１】
【発明の属する技術分野】
この発明は、垂直ブランキング期間においても、画像信号線駆動回路に対して交流化のための制御信号を供給する液晶駆動装置に関するものである。
【０００２】
【従来の技術】
一般に、液晶パネルは、マトリクス状に配置された複数の画像信号線（ソース線）と複数の走査信号線（ゲート線）を有し、これらの画像信号線と走査信号線の各交点に対応して複数の液晶セルを形成したものである。複数の画像信号線は画像信号線駆動回路によって駆動され、また複数の走査信号線は走査線駆動回路によって駆動される。
【０００３】
画像信号線駆動回路に対して、垂直ブランキング期間中にも、垂直走査期間中と同様に、駆動信号を供給することが知られており、これは表示画面上の横方向ラインごとの画像表示にムラが生じるのを防止するのに有効な手段である。この手段を用いる液晶駆動装置においては、垂直ブランキング期間においても、垂直走査期間中におけると同様に、画像信号線駆動回路に対する制御信号が送り続けられる。この制御信号は画像信号線を水平同期信号に対応した所定の周期で交流化する信号であり、極性反転信号、データシフト用スタートパルス、ラッチパルスを含む。
【０００４】
【発明が解決しようとする課題】
この画像信号線駆動回路に対して、垂直ブランキング期間中にも、垂直走査期間中と同様に制御信号を送り続ける従来の回路では、次の２つの条件を満足させる必要がある。第１の条件は、垂直ブランキング期間における制御信号を、垂直走査期間における制御信号と同じまたはそれに近い周期で供給することである。また第２の条件は、垂直ブランキング期間における水平同期信号を、垂直走査期間における水平同期信号と同じまたはそれに近い周期で供給することである。
【０００５】
もし、これらの第１、第２の条件が外れ、垂直ブランキング期間における制御信号および水平同期信号の周期が、垂直走査期間における制御信号と水平同期信号の周期から大きく外れると、垂直ブランキング期間の最終の周期に対応する制御信号が次の垂直走査期間の制御に誤動作を及ぼす可能性がある。併せて、垂直ブランキング期間に、１水平周期またはその周期以下の半端な期間の変動が発生した場合においても、前記誤動作が発生する可能性がある。
【０００６】
この発明は、例え、垂直ブランキング期間における制御信号および水平同期信号の周期が、垂直走査期間における制御信号と水平同期信号の周期から大きく外れても、また垂直ブランキング期間に、１水平周期またはその周期以下の半端な期間の変動が発生した場合においても、次の垂直走査期間における表示動作の誤動作を及ぼさないように改良された液晶駆動装置を提案するものである。
【０００７】
【課題を解決するための手段】
この発明による液晶駆動装置は、垂直ブランキング期間中にも画像信号線駆動回路に対し、交流化のための制御信号を所定の周期で供給するように構成された液晶駆動装置であって、垂直ブランキング期間において、最終の周期に対応してマスキング信号を生成するマスキング信号生成回路を設け、制御信号出力有効期間判別回路がタイミングコントローラと前記画像信号線駆動回路の間に接続され、前記マスキング信号生成回路からマスキング信号を前記制御信号出力有効期間判別回路に供給するよう構成し、前記制御信号出力有効期間判別回路は、前記マスキング信号が供給されると前記タイミングコントローラから出力される前記制御信号に対し、前記垂直ブランキング期間において、最終の期間に対応する制御信号を消去することを特徴とする。
【０００８】
この発明では、垂直ブランキング期間において、最終の周期に対応する制御信号が消去されるため、この最終の周期に対応する制御信号による誤動作を効果的防止することができる。
【０００９】
具体的には、この発明はまず、画像信号線駆動回路に対する制御信号について、垂直ブランキング期間におけるタイミングが、垂直走査期間におけるタイミングと異なるような場合に、有効である。この場合において、最終の周期に対応する制御信号が消去される結果、次の垂直走査期間での誤動作が防止される。
【００１０】
また、この発明は、水平同期信号について、垂直ブランキング期間におけるタイミングが、垂直走査期間におけるタイミングと異なり、またはそのタイミングと一部分がずれており、そのために垂直ブランキング期間において、１水平周期以下の半端な周期に相当するタイミングが形成される場合にも、有効である。この場合においても、最終の周期に対応する制御信号が消去される結果、１水平周期以下の半端な周期の制御信号が消去され、次の垂直走査期間での誤動作が防止される。
【００１１】
また、この発明は、画像の表示状態において、意図的にまたは何等かの原因で水平ブランキング期間または垂直ブランキング期間に変動が生じた場合にも有効である。このような場合にも、垂直ブランキング期間の終わりで１水平周期以下の半端な周期の制御信号が発生するが、この発明によって、最終の周期に対応する制御信号が消去される結果、１水平周期以下の半端な周期の制御信号が消去され、次の垂直走査期間での誤動作が防止される。
【００１２】
【発明の実施の形態】
実施の形態１．
図１、図２はこの発明による液晶駆動装置の各種信号波形の改善状態を示すもので、図１は垂直ブランキング期間において所定の周期で変化する制御信号がその最終の周期に対応する最終信号をも含む場合の信号波形を、また図２はこの発明により、垂直ブランキング期間において所定の周期で変化する制御信号の最終の周期に対応する最終信号が消去された場合の信号波形を示す。
【００１３】
図１、図２において、符号１は垂直同期信号（Ｓｖ）を示し、符号２は画像データ信号（Ｄｉ）を示す。垂直同期信号（Ｓｖ）１の周期Ｔｖは、Ｔｖ＝Ｔｖ１＋Ｔｖ２である。ここで、Ｔｖ１は垂直走査期間、Ｔｖ２は垂直ブランキング期間である。垂直走査期間Ｔｖ１には、所定数の水平周期Ｔｈが含まれる。この水平周期Ｔｈは、Ｔｈ＝Ｔｈ１＋Ｔｈ２である。ここで、Ｔｈ１は水平走査期間、Ｔｈ２は水平ブランキング期間である。画像データ信号（Ｄｉ）２の斜線部分は非有効表示期間、すなわち有効表示期間でない期間における画像データ信号を示す。垂直ブランキング期間Ｔｖ２および水平ブランキング期間Ｔｈ２では、画像データ信号２は無効データＤINVとなる。
【００１４】
符号３は極性反転信号、符号４はデータシフト用スタートパルス、符号５はラッチパルス信号を示す。これらの信号は、画像信号線駆動回路に供給される制御信号Ｓｓであり、この制御信号Ｓｓに基づき、液晶パネルの各画像信号線（ソース線）は、それぞれ画像信号に応じた大きさで交流駆動される。具体的には、極性反転信号３は、液晶パネルの液晶に印加される画素電圧を交流化するための基準信号であり、データシフト用スタートパルス４は、画像信号線駆動回路に対して画素データの取り込みを開始させるパルス信号であり、またラッチパルス信号５は、画像信号線駆動回路に取り込んだ画素データを液晶パネルに出力させるパルス信号である。
【００１５】
この発明では、垂直ブランキング期間Ｔｖ２において、制御信号Ｓｓの最終の周期の信号を消去した一部消去制御信号Ｓｓｍが画像信号線駆動回路に供給される。制御信号Ｓｓは垂直走査期間Ｔｖにおいて供給され、制御信号Ｓｓｍは、垂直ブランキング期間Ｔｖ２において画像信号線駆動回路に供給される。この制御信号Ｓｓｍは、所定の周期、例えば水平周期Ｔｈに同期した所定の周期で、周期的に変化する信号であり、垂直ブランキング期間Ｔｖ２においても、垂直走査期間Ｔｖ１における制御信号Ｓｓと同じ所定の周期で変化する。この垂直ブランキング期間に供給される制御信号Ｓｓｍは液晶パネルの表示状態において、横方向ラインごとの画像表示にムラが生じるのを防止するのに有効である。
【００１６】
垂直ブランキング期間Ｔｈ２において、周期的に供給される制御信号Ｓｓｍの最終信号、すなわち制御信号Ｓｓｍについて垂直ブランキング期間における最終の周期に対応する最終信号は、図１において、符号６、６ａ、７、７ａ、８、８ａで示されている。最終信号６、６ａは極性反転信号３の最終信号であり、最終信号７、７ａはデータシフト用スタートパルス４の最終信号であり、また最終信号８、８ａはラッチパルス５の最終信号である。
【００１７】
この発明において、最終信号６、６ａ、７、７ａ、８、８ａは消去される。この消去には、図１に示すマスキング信号（Ｓｍ）１０が用いられる。マスキング信号（Ｓｍ）１０は、制御信号Ｓｓｍについて垂直ブランキング期間Ｔｈ２における最終の周期に発生する信号であり、最終信号６、６ａ、７、７ａ、８、８ａを消去するのに用いられる。図２は、最終信号６、６ａ、７、７ａ、８、８ａが消去された制御信号Ｓｓｍ、すなわち、極性反転信号３、データシフト用スタートパルス４およびラッチパルス５を示している。
【００１８】
具体的には、マスキング信号（Ｓｍ）１０の発生時点ｔ１は、制御信号Ｓｓｍについて垂直ブランキング期間Ｔｈ２における最終の周期の開始時点に同期しており、またその消滅時点ｔ２は、次の垂直走査期間Ｔｈ１の開始時点に同期している。このような発生時点ｔ１と消滅時点ｔ２の間で発生するマスキング信号（Ｓｍ）１０を用いて最終信号６、６ａ、７、７ａ、８、８ａを消去することにより、次のような効果が得られる。
【００１９】
まず、画像信号線駆動回路に対する制御信号Ｓｓｍについて、垂直ブランキング期間Ｔｖ２におけるタイミングが、垂直走査期間Ｔｖ１におけるタイミングと異なる場合に、次の垂直走査期間Ｔｖ１での誤動作を防止できる。この場合、垂直ブランキング期間Ｔｖ２における最終の周期に対応する最終信号６、６ａ、７、７ａ、８、８ａが消去される結果、次の垂直走査期間での誤動作が防止される。
【００２０】
また、水平同期信号Ｓｈについて、垂直ブランキング期間Ｔｖ２におけるタイミングが、垂直走査期間Ｔｖ１におけるタイミングと異なり、またはそのタイミングと一部分がずれており、そのために垂直ブランキング期間Ｔｖ２の終期において、１水平周期Ｔｈ以下の半端な周期に相当するタイミングが形成される場合にも、次の垂直走査期間Ｔｖ１での誤動作の発生を防止することができる。この場合、最終の周期は１水平周期Ｔｈ以下の半端な周期になるが、この最終の周期に対応する最終信号６、６ａ、７、７ａ、８、８ａが消去される結果、１水平周期以下の半端な周期の制御信号の最終信号が消去され、次の垂直走査期間Ｔｖ１での誤動作が防止される。
【００２１】
また、画像の表示状態において、意図的にまたは何等かの原因で水平ブランキング期間Ｔｈ２または垂直ブランキング期間Ｔｖ２の期間の長さに変動が生じた場合にも有効である。このような場合にも、垂直ブランキング期間Ｔｖ２の終わりで１水平周期以下の半端な周期が発生するが、この発明によって、最終の周期に対応する制御信号の最終信号６、６ａ、７、７ａ、８、８ａが消去される結果、１水平周期以下の半端な周期の最終信号が消去され、次の垂直走査期間での誤動作が防止される。
【００２２】
図３は、この発明による液晶駆動装置の実施の形態１を示すブロック回路図である。この液晶駆動装置は、液晶パネル２０を有し、この液晶パネル２０は例えば垂直方向に延びる複数の画像信号線（ソース線）と、例えば水平方向に延びる複数の走査信号線（ゲート線）を有する。液晶パネル２０を構成する複数の画素は、それぞれ各画像信号線と各走査信号線の交点に対応して配置される。
【００２３】
液晶パネル２０には、画像信号線駆動回路２１と、走査線駆動回路２２を有する。画像信号線駆動回路２１は、ソースドライバ用ＩＣを含んでおり、液晶パネル２０の各画像信号線を駆動する。例えば、液晶パネル２０には、複数の画像信号線が垂直方向に延びて所定の間隔で並んでいるが、画像信号線駆動回路２１は、これらの各画像信号線のそれぞれに、映像信号に応じた大きさの画像信号を交流駆動方式で供給する。各画像信号線の画像信号の大きさは、水平走査期間Ｔｈ１における映像信号を順次サンプリングした値を持つ。走査信号線駆動回路２２は、液晶パネル２０の水平方向に延びて所定の間隔で並んでいる複数の走査信号線を、それぞれの映像信号に含まれる水平同期信号に応じて、順次駆動する。
【００２４】
液晶駆動装置は、また、タイミングコントローラ２３を有する。このタイミングコントローラ２３には、垂直同期信号（Ｓｖ）１と、水平同期信号Ｓｈと、データイネーブル信号Ｄｅと、画像データ信号（Ｄｉ）２が供給される。タイミングコントローラ２３はこれらの信号から、画像信号線駆動回路２１に対する画像信号線駆動用制御信号Ｓｓと、走査線駆動回路２２に対する走査線駆動用制御信号Ｓｇとを発生する。画像信号線駆動用制御信号Ｓｓは、制御信号出力有効期間判別回路２４に供給される。画像データ信号（Ｄｉ）は、タイミングコントローラ２３から画像信号線駆動回路２１に供給される。
【００２５】
液晶駆動装置は、さらに垂直ブランキング検出回路２５とマスキング信号生成回路３０を有する。垂直ブランキング検出回路２５は、垂直同期信号（Ｓｖ）１を受け、垂直ブランキング検出信号Ｓｖｂを発生する。マスキング信号生成回路３０は、垂直ブランキング検出信号Ｓｖｂと水平同期信号Ｓｈを受け、マスキング信号（Ｓｍ）１０を発生する。このマスキング信号（Ｓｍ）１０は、制御信号出力有効期間判別回路２４に供給され、この制御信号出力有効期間判別回路２４は、マスキング信号（Ｓｍ）１０によって一部が消去された一部消去制御信号（Ｓｓｍ）を発生し、これを画像信号線駆動回路２１に供給する。この一部消去制御信号（Ｓｓｍ）は、制御信号Ｓｓの中、垂直ブランキング期間Ｔｖ２における最終周期に対応する最終信号６、６ａ、７、７ａ、８、８ａを消去したものである。
【００２６】
図４は、図３に示したマスキング信号生成回路３０の具体的な回路構成の一例を示すブロック図である。このマスキング信号生成回路は、水平同期信号微分回路３１、垂直ブランキング検出信号微分回路３２、ＡＮＤ回路３３、カウンタ３４、カウンタ値保持回路３５、マスキング判別回路３６を有する。垂直ブランキング検出信号Ｓｖｂは、例えば垂直ブランキング期間Ｔｖ２の開始時点で、高レベルとなる信号であり、カウンタ３４はこの垂直ブランキング期間Ｔｖ２における水平同期信号Ｓｈのシンク微分出力ａをＡＮＤ回路３３から受け、その数をカウントする。このカウント値をｎとする。なお、水平同期信号微分回路３１は、水平同期信号Ｓｈのシンクの立ち上がり時点での微分出力だけを出力する。
【００２７】
垂直ブランキング検出信号微分回路３２は、垂直ブランキング期間Ｔｖ２の終了時点、言い換えれば次の垂直走査期間Ｔｖ１の開始時点でカウンタ３４にリセット信号ｂ を与え、このカウンタ３４をリセットするとともに、カウンタ値保持回路３５にカウンタイネーブル信号ｅを与え、カウンタ３４がリセットされる直前のカウント値ｋを最終カウンタ値として、カウンタ値保持回路３５に保持させる。このカウント値ｋは、次にカウンタイネーブル信号ｅが発生するまで保持される。マスキング判別回路３６は、カウンタ値保持回路３５に保持されたカウンタ値ｋと、カウンタ３４からのカウント値ｎを受け、ｎ≧ｋのときに、マスキング信号（Ｓｍ）１０を発生する。
【００２８】
垂直ブランキング期間Ｔｖ２は、図５に示すように、１つ前の垂直走査期間Ｔｖ１の終了時点ｔ３から、次の垂直走査期間Ｔｖ１の開始時点ｔ４までの期間である。詳細には、時点ｔ３は、前の垂直走査期間Ｔｖ１の最後に発生するデータイネーブル信号Ｄｅｅに続く水平同期信号Ｓｈのシンクの立ち下がり時点であり、また時点ｔ４は、次の垂直走査期間Ｔｖ１の最初の水平同期信号Ｓｈのシンクの立ち下がり時点である。この垂直ブランキング期間Ｔｖ２では、図５から明らかなように、水平同期信号Ｓｈの各シンクの立ち上がり時に発生する微分出力がカウンタ３４でカウントされ、このカウント値ｎは、垂直ブランキング期間Ｔｖ２に含まれる水平周期の数に等しい。したがって、マスキング判別回路３６によって判別されるｎ≧ｋは、通常、垂直ブランキング期間Ｔｖ２の最後の水平周期において満足される結果となり、その最終の水平周期に対応してマスキング信号Ｓｍが生成される。なお、図５のＴｓｈは、水平同期信号Ｓｈのシンク期間を示す。また、図５では、垂直ブランキング期間Ｔｖ２について、簡単化して３つの水平同期信号(1)(2)(3)を示しているが、実際にはより多くの水平同期信号Ｓｈが存在する。水平同期信号(1)は、垂直ブランキング期間Ｔｖ２における最初の周期の水平同期信号として、また水平同期信号(3)は垂直ブランキング期間Ｔｖ２における最終の周期の水平同期信号として理解されたい。
【００２９】
図４に示したマスキング信号生成回路３０は、各垂直ブランキング期間Ｔｈ２毎に、カウンタ値保持回路３５の保持値ｋが更新され、この保持値ｋに基づいて、マスキング判別回路３６が次の垂直ブランキング期間Ｔｈ２における判別動作を行うので、例えある垂直ブランキング期間Ｔｈ２における制御信号Ｓｓのタイミングが変化しても、次の垂直ブランキング期間では、この変化した制御信号Ｓｓのタイミングで通常の判別動作が行われる。
【００３０】
実施の形態２
図６はこの発明による液晶駆動回路の実施の形態２を示すブロック図である。この実施の形態２では、図３とは異なるタイミングコントローラ４０が使用される。垂直ブランキング検出回路２５、マスキング信号生成回路３０は図３と同じに構成され、マスキング信号生成回路３０は図４と同じに構成される。
【００３１】
図６に示すタイミングコントローラ４０は、擬似データイネーブル生成回路４１、ＯＲ回路４２、データイネーブル信号出力有効期間判別回路４３および制御信号生成回路４４を有する。
【００３２】
この図６に示すタイミングコントローラ４０では、垂直ブランキング期間Ｔｖ２に擬似データイネーブル生成回路４１によって擬似データイネーブル信号Ｄｅｖを生成しておき、垂直走査期間に生成されるデータイネーブル信号Ｄｅとともに、ＯＲ回路４２を通って、データイネーブル信号出力有効期間判別回路４３に供給する。このデータイネーブル信号出力有効期間判別回路４３には、マスキング信号生成回路３０からのマスキング信号Ｓｍが供給されており、このマスキング信号Ｓｍによって、垂直ブランキング期間Ｔｖ２の最終期間における擬似データイネーブル信号Ｄｅｖが消去される。この垂直ブランキング期間Ｔｖ２の最終期間が消去された擬似データイネーブル信号ＤｅｖとデータイネーブルＤｅは、制御信号生成回路４４に供給される。制御信号生成回路４４は、制御信号Ｓｓｍ、すなわち図２の最終信号６、６ａを消去した極性反転信号３と最終信号７、７ａ消去したデータシフト用スタートパルス４および最終信号８、８ａを消去したラッチパルス５を画像信号線駆動回路２１に供給し、また制御信号Ｓｇを走査線駆動回路２２に供給する。なお、画像信号線駆動回路２１に対する画像データＤｉは、タイミングコントローラ４０から供給される。
【００３３】
この図６に示す実施の形態２では、擬似データイネーブルＤｅｖを生成しておくことにより、制御信号Ｓｓｍの生成を簡素化できる。
【００３４】
【発明の効果】
以上のようにこの発明は、垂直ブランキング期間の最終の周期に対応する制御信号を消去するようにしたので、最終の周期の半端な制御信号による誤動作を改善することができる。
【００３５】
また、制御信号出力有効期間判別回路をタイミングコントローラと前記画像信号線駆動回路の間に接続した構成では、タイミングコントローラから出力される前記制御信号に対し画像信号線駆動の最終段階で効果的に最終の期間に対応する制御信号を消去することができる。
【００３６】
また、垂直ブランキング期間に対応した擬似データイネーブル信号と、タイミングコントローラに入力されたデータイネーブル信号との論理和出力をマスキングするよう接続した構成では、制御信号の生成を簡素化できる。さらに、垂直ブランキング期間における水平同期信号数をカウントするものでは、垂直ブランキング期間における水平同期信号数の変化に対応して、垂直ブランキング期間における最終の周期に対応する制御信号を消去できる。
【図面の簡単な説明】
【図１】  垂直ブランキング期間における最終の周期に対応する制御信号が消去される前の各種信号波形図。
【図２】  垂直ブランキング期間における最終の周期に対応する制御信号を消去したこの発明の液晶駆動装置に各種信号波形図。
【図３】  この発明による液晶駆動装置の実施の形態１を示すブロック図。
【図４】  この発明による液晶駆動装置で使用されるマスキング信号生成回路を示すブロック図。
【図５】  この発明による液晶駆動装置における垂直ブランキング期間の説明図。
【図６】  この発明による液晶駆動装置の実施の形態２を示すブロック図。
【符号の説明】
２０  液晶パネル、２１  画像信号線駆動回路、  ２２  走査線駆動回路、２３ 、４０  タイミングコントローラ、２４  制御信号出力有効期間判別回路、２５  垂直ブランキング検出回路、３０  マスキング信号生成回路、３１  水平同期信号微分回路、３２  垂直ブランキング検出信号微分回路、３３  ＡＮＤ回路、３４  カウンタ、３５  カウント値保持回路、３６  マスキング判別回路、４１  擬似データイネーブル生成回路、４２  ＯＲ回路、４３  データイネーブル信号出力有効期間判別回路、  ４４  制御信号生成回路、Ｓｖ  垂直同期信号、Ｓｖ１  垂直走査期間、Ｓｖ２  垂直ブランキング期間、Ｓｈ  水平同期信号、Ｓｈ１  水平走査期間、Ｓｈ２  水平ブランキング期間、Ｓｓ  制御信号、Ｓｓｍ  一部消去制御信号
【図１】
0003719974.tif 000002
【図２】
0003719974.tif 000003
【図３】
0003719974.tif 000004
【図４】
0003719974.tif 000005
【図５】
0003719974.tif 000006
【図６】
0003719974.tif 000007